(57)【要約】【課題】軽量で、操作が簡便であり、家庭の庭等において取り回しが容易である家庭用耕耘機を提供する。【解決手段】運転スイッチ１４が設置された第１ハンドル１１とその手前に取り付けられた角度調節可能な第２ハンドル１２とを有する把持部２と、モータ２０が収容された耕耘機本体３と、モータ２０と連動する軸１６に外嵌された刃４と、を有することを特徴とする家庭用耕耘機１によって、操作が簡便となり、容易に取り回すことができ、作業者は手軽に耕耘作業をすることができる。【選択図】図１
0003121759.tif 000002
【実用新案登録請求の範囲】
【請求項１】
運転スイッチが設置された第１のハンドルとその手前に取り付けられた角度調節可能な第２のハンドルとを有する把持部と、
モータが収容された耕耘機本体と、
前記耕耘機本体に介挿され前記モータと連動する軸に外嵌された刃と、
を有する家庭用耕耘機であって、
前記耕耘機本体は、
ギアシャフトが挿設された第１のギアと、
前記モータに挿設され、前記第１のギアと係合するアーマチュアシャフトと、
前記ギアシャフトと係合する第２のギアと、
を備えることを特徴とする家庭用耕耘機。
【請求項２】
前記第１のギアには斜状の歯が形成され、前記アーマチュアシャフトには螺旋状の軸が形成され、常時は前記第１のギアと前記アーマチュアシャフトとが係合して連動し、前記第１のギアが固定されたときは前記第１のギアと前記アーマチュアシャフトとが離反して前記アーマチュアシャフトのみが回転することを特徴とする請求項１記載の家庭用耕耘機。
【考案の詳細な説明】
【技術分野】
【０００１】
本考案は、耕耘作業用の耕耘機であって、特に、作業者にとって取り回しが容易で安全な家庭用耕耘機に関する。
【背景技術】
【０００２】
従来、土を耕す耕耘機は、農業で畑に用いられる大型の機械が大部分であり（例えば特許文献１参照）、家庭において趣味等で行われる家庭菜園やガーデニングにおいては、スコップや鍬等を用いて手作業で土を耕す他なく、大変な労力を要した。
【０００３】
そこで、近年では趣味で畑を借りる人が増えてきていることもあり、農業用の耕耘機よりは小型な、いわゆる家庭菜園用の小型耕耘機が各メーカーから販売されている。
【０００４】
【特許文献１】特開２００３−１８９７０２号公報
【考案の開示】
【考案が解決しようとする課題】
【０００５】
しかしながら、これらの小型耕耘機は、農業用の耕耘機を小型化したものであるため、高価である上に、使用方法や手入れ等が煩雑である。また、農業用より小型であるとはいえ、やはり機械自体が大きく重量があるものであり、取り回しが容易であるとはいえず、特に、家庭の庭等におけるガーデニングに用いるには不便である。さらに、持ち運びにも労力を要し、特に女性がひとりで持ち運ぶことは非常に困難である。その上、使用の際に燃料を必要とするため、家庭向きとは言い難い。
【０００６】
本考案は、以上の点に鑑みてなされたものであり、その目的は、軽量で、操作が簡便であり、家庭の庭等において取り回しが容易である家庭用耕耘機を提供することにある。
【課題を解決するための手段】
【０００７】
以上のような課題を解決するために、本考案は、以下のものを提供する。
【０００８】
（１）  運転スイッチが設置された第１のハンドルとその手前に取り付けられた角度調節可能な第２のハンドルとを有する把持部と、モータが収容された耕耘機本体と、前記耕耘機本体に介挿され前記モータと連動する軸に外嵌された刃と、を有する家庭用耕耘機であって、前記耕耘機本体は、ギアシャフトが挿設された第１のギアと、前記モータに挿設され、前記第１のギアと係合するアーマチュアシャフトと、前記ギアシャフトと係合する第２のギアと、を備えることを特徴とする家庭用耕耘機。
【０００９】
本考案によれば、運転スイッチが設置された第１のハンドルとその手前に取り付けられた角度調節可能な第２のハンドルとを有する把持部と、モータが収容された耕耘機本体と、耕耘機本体に介挿されモータと連動する軸に外嵌された刃と、を有することとしたから、軽量で、操作が簡便であり、取り回しが容易である家庭用耕耘機を提供することができる。
【００１０】
すなわち、第１のハンドルに運転スイッチを設置することにより、第１のハンドルを把持する際の握力で運転スイッチを操作することができるため、操作が簡便である。
【００１１】
また、第２のハンドルは、把持部に角度調整可能に取り付けられているため、作業者が作業を行い易い角度に位置決めを行って固定することができる。第１のハンドルと、任意の角度に調整した第２のハンドルとを把持して作業を行うことができるため、取り回しが容易である。
【００１２】
また、本考案によれば、耕耘機本体は、ギアシャフトが挿設された第１のギアと、モータに挿設され第１のギアと係合するアーマチュアシャフトと、ギアシャフトと係合する第２のギアと、を有し、耕耘機本体内に駆動源を配設したことから、作業者が駆動源に触れることがなく、作業者の指や衣類を巻き込むといった事故を防止することができ、安全に使用することができる。
【００１３】
（２）  前記第１のギアには斜状の歯が形成され、前記アーマチュアシャフトには螺旋状の軸が形成され、常時は前記第１のギアと前記アーマチュアシャフトとが係合して連動し、前記第１のギアが固定されたときは前記第１のギアと前記アーマチュアシャフトとが離反して前記アーマチュアシャフトのみが回転することを特徴とする（１）記載の家庭用耕耘機。
【００１４】
本考案によれば、第１のギアには斜状の歯が形成され、アーマチュアシャフトには螺旋状の軸が形成され、常時は第１のギアとアーマチュアシャフトとが係合して連動し、作業中、刃に土中の石や布、ビニール等が絡まって第１のギアが固定されたときは、第１のギアとアーマチュアシャフトの間に遊びを持たせることにより、第１のギアとアーマチュアシャフトとが離反してアーマチュアシャフトのみが回転するように構成することで、第１のギアから刃の連動（第１のギア、ギアシャフト、第２のギア、軸）とモータの回転（アーマチュアシャフト）とが自動的に離れて刃の回転が停止する一方、モータの回転はそのまま継続するので、モータに過大電流が流れることなく、モータの焼き付きを防止することができ、安全に使用することができる。
【考案の効果】
【００１５】
以上説明したように、本考案は、第１のハンドルに運転スイッチを設置することにより操作が簡便となり、第２のハンドルを角度調整可能に取り付けることによって取り回しが容易となり、作業者の負担を軽減することができる。また、第１のギアとアーマチュアシャフトを離反させる構成により、モータの焼きつきを防止することができ、安全に使用することができる。
【考案を実施するための最良の形態】
【００１６】
以下、本考案を実施するための最良の形態について、図面に基づいて説明する。
【００１７】
［外観構成］
図１は、本考案の実施の形態に係る家庭用耕耘機１の斜視図を示す図である。
【００１８】
図１において、家庭用耕耘機１は、主に、第１ハンドル１１と第２ハンドル１２とを有する把持部２と、耕耘機本体３と、軸１６に外嵌された刃４と、から構成されている。
【００１９】
図１に示すように、家庭用耕耘機１は、全体が緩やかな湾曲を形成し、下方が広がった形状となっている。すなわち、家庭用耕耘機１の背面は、前方に向かって上下に緩やかな湾曲を形成するとともに、背面中央から左右に向かって略半円状に湾曲しており、前面は、前方に向かって上下に背面よりもさらに緩やかな湾曲を形成するとともに、前面中央から左右に向かってわずかに湾曲している。全体が湾曲状となっているため、上部がほぼ水平になった状態でハンドルを把持することができ、作業者は楽な姿勢で作業をすることができる。
【００２０】
また、家庭用耕耘機１は、その上部の外径が小さく、下方に向かうにつれて外径が大きくなっており、全体が湾曲した略錐体状に形成されている。このような形状とすることにより、取り回しが容易となり、また、安定して使用することができる。すなわち、上部の外径が小さく、家庭用耕耘機１を真上から把持して使用することができるため、その重量による負担が軽減される。また、下部の外径が大きいために、安定性が高く、取り回しが容易である。
【００２１】
把持部２は、第１ハンドル１１と第２ハンドル１２とを有している。第１ハンドル１１には、運転スイッチ１４が設置され、湾曲した柄１７が取り付けられている。柄１７の上端は第１ハンドル１１の上端に固定され、下端は運転スイッチ１４の下方に固定されている。運転スイッチ１４は第１ハンドル１１の下部に設置されているので、第１ハンドル１１を把持する際の握力で運転スイッチ１４を操作することができる。運転スイッチ１４は、押圧によりモータの回転運動を行い、離反によりモータの回転運動を中止する押圧式のものを用いることで、第１ハンドル１１を把持する際の握力で運転スイッチ１４を押圧することができるので、操作が簡便である。
【００２２】
第２ハンドル１２は略半円状で、径部分が把持部２に固定されている。第２ハンドル１２の径部分中央には、角度調整用ノブ１３が設けられている。
【００２３】
図２は、第２ハンドル１２を分解した様子を示す分解斜視図である。
【００２４】
図２において、第２ハンドル１２の径部分中央には回転軸２９、角度調整スリーブ２８、ワッシャー２７、角度調整ノブ１３が取り付けられている。角度調整ノブ１３を緩めることによって回転軸２９への締め付けが緩み、第２ハンドル１２の角度を変化させることができる。そして、位置決めを行った後に角度調整ノブ１３を締め付けることによって、回転軸２９が締め付けられ、その角度に第２ハンドル１２を固定することができる。
【００２５】
従って、作業者は、第２ハンドル１２を作業を行い易い角度に調整して固定することができ、第１ハンドル１１と、任意の角度に調整した第２ハンドル１２とを把持して作業を行うことができるため、さらに取り回しが容易となる。
【００２６】
図３は、家庭用耕耘機１の収容部１８を開閉する開閉扉１５が開いた状態を示す図である。図３において、耕耘機本体３の背面部分には、凹状の収容部１８が形成され、収容部１８を開閉するための開閉扉１５が取り付けられている。この収容部１８が形成されていることにより、作業に必要な用具、その他の小物を収納しておき、必要な時に取り出すことができる。
【００２７】
耕耘機本体３は、その内部にモータ２０が収容されている（図４参照）。運転スイッチ１４を操作することにより電力が供給されてモータ２０が駆動し、モータ２０と連動する軸１６が回転する。モータ２０は、電源から供給される電力によって駆動するため、ガソリン等の燃料を必要とせず、手軽に使用することができる。
【００２８】
刃４は、モータ２０と連動する軸１６に外嵌され、耕耘機本体３に介挿されている。モータ２０が駆動することによって、連動する軸１６が回転し、軸１６に外嵌されている刃４が回転する。刃４は、２枚の外刃４ａと、２枚の内刃４ｂの４枚で構成されている。
【００２９】
図４は、刃４の回転機構を示す概略図であり、図５はその分解斜視図である。
【００３０】
図４及び図５において、モータ２０が駆動し、モータ２０に挿設された螺旋状のアーマチュアシャフト１９が回転すると、アーマチュアシャフト１９に係合する斜状の歯が形成された第１のギア２１が回転する。第１のギア２１に挿設されたギアシャフト２２は、第１のギア２１の回転に連動して回転し、それに伴ってギアシャフト２２に係合する第２のギア２５が回転する。さらに、第２のギア２５の回転に伴って、第２のギア２５に係合する軸１６が回転し、軸１６にベアリング２４及びホルダー２３を介して外嵌されている４枚の刃４ａ・４ｂが回転する。刃４は、中心から放射状に伸びた６本の突出部を有しており、その先端は、外刃４ａは全て内側に、内刃４ｂは内側と外側に交互に屈折し、外刃４ａと内刃４ｂは、突出部が互い違いになるように固定されている。刃４をこのような形状にすることにより、固い土も効率よく耕すことができる。なお、前述したように、第１のギアには斜状の歯が形成され、アーマチュアシャフトには螺旋状の軸が形成されていて、第１のギア２１の歯にアーマチュアシャフト１９が直交するようにアーマチュアシャフト１９が穿設されているが、その他のギアシャフト２２，第２のギア２５，軸１６の歯は互いに平行で、しっかりと噛み合うようになっている。
【００３１】
ここで、第１のギア２１とアーマチュアシャフト１９の間には遊びが持たせてある。作業中に刃４に土中の石や布、ビニール等が絡まり、刃４が回転できなくなった場合には、この遊びによって第１のギア２１とアーマチュアシャフト１９とが離れることで、モータ２０の動力が刃４に伝わらなくなり、刃４の回転が停止する。そのため、モータの過回転による焼き付きを防止することができ、安全に使用することができる。
【００３２】
なお、把持部２及び耕耘機本体３の材質は、プラスチックである。軽量の材質とすることによって、家庭用耕耘機１全体の総重量を軽量化することができ、例えば女性であっても容易に取り回すことができる。その他の材質としては、アルミニウム、チタン、合成樹脂など、様々なものを用いることが可能である。
【００３３】
［使用方法］
図６は、本考案の実施の形態に係る家庭用耕耘機１を使った耕耘作業の様子を示す図である。
【００３４】
本考案の実施の形態に係る家庭用耕耘機１を使用する際には、まず、第２ハンドル１２に取り付けられた角度調整ノブ１３を緩め、作業者の身長や体格に合わせて第２ハンドル１２の角度を調整した後に、角度調整ノブ１３を締め付け、第２ハンドル１２を任意の角度に固定する。
【００３５】
次いで、一方の手で第１ハンドル１１を握り、他方の手で第２ハンドル１２を握って把持する。第１ハンドル１１を握った方の手で運転スイッチ１４を操作し、耕耘作業を行う。例えば、押圧によりモータの回転運動を行い、離反によりモータの回転運動を中止する押圧式の運転スイッチ１４を用いて、運転スイッチ１４を押圧することによってモータ２０を駆動させ、刃４が回転して土を耕し、運転スイッチ１４から手を離反させることによってモータ２０の回転運動を中止させ、刃４の回転が停止する。
【００３６】
耕耘作業中に、刃４に土中の石や布、ビニール等が絡まった場合には、自動的に刃４の回転が停止し、モータの焼き付きを防止することができるため、安全に使用することができる。
【００３７】
以上説明したように、本実施形態に係る家庭用耕耘機によれば、第１ハンドルに設置された運転スイッチによって操作が簡便となり、第２のハンドルで角度を調整することによって取り回しが容易となり、作業者の負担を軽減することができる。また、収容部に用具等を収納することができる。さらに、モータの焼きつきを防止することができ、安全に使用することができる。
【産業上の利用可能性】
【００３８】
本考案に係る家庭用耕耘機は、軽量で、操作が簡便であり、家庭の庭等においても容易に取り回すことができるものとして有用である。
【図面の簡単な説明】
【００３９】
【図１】本考案の実施の形態に係る家庭用耕耘機１の斜視図を示す図である。
【図２】第２ハンドル１２を分解した様子を示す分解斜視図である。
【図３】家庭用耕耘機１の収容部１８を開閉する開閉扉１５が開いた状態を示す図である。
【図４】刃４の回転機構を示す概略図である。
【図５】刃４の回転機構を示す分解斜視図である。
【図６】本考案の実施の形態に係る家庭用耕耘機１を使った耕耘作業の様子を示す図である。
【符号の説明】
【００４０】
１    家庭用耕耘機
２    把持部
３    耕耘機本体
４    刃
４ａ  外刃
４ｂ  内刃
１１  第１ハンドル
１２  第２ハンドル
１３  角度調整ノブ
１４  運転スイッチ
１５  開閉扉
１６  軸
１７  柄
１８  収容部
１９  アーマチュアシャフト
２０  モータ
２１  第１のギア
２２  ギアシャフト
２３  ホルダー
２４  ベアリング
２５  第２のギア
２７  ワッシャー
２８  角度調整スリーブ
２９  回転軸
【図１】
0003121759.tif 000003
【図２】
0003121759.tif 000004
【図３】
0003121759.tif 000005
【図４】
0003121759.tif 000006
【図５】
0003121759.tif 000007
【図６】
0003121759.tif 000008